(57)【特許請求の範囲】
【請求項１】
軸筒内に複数の筆記体を前後方向に移動可能に収容し、前記各々の筆記体の後端に操作体を連結し、前記各々の筆記体及び操作体を弾発体により後方に付勢し、前記軸筒の側壁に前後方向に延びる複数の窓孔を径方向に貫設し、前記各々の窓孔から径方向外方に前記各々の操作体の操作部を突出させ、一つの操作体を窓孔に沿って前方にスライド操作することにより、その一つの操作体を先にペン先突出状態にあった他の筆記体の操作体と当接させ、先にペン先突出状態にあった他の筆記体の操作体と軸筒内壁との係止状態を解除し、先に突出状態にあった他の筆記体のペン先を軸筒内に没入させ、前記前方にスライド操作した操作体に連結された筆記体のペン先を軸筒の前端孔から突出させてなる多芯筆記具であって、前記操作体の本体の径方向外面に操作部と装飾部とを前後に分離して突設させるとともに前記操作部の前方に前記装飾部を位置させ、前記操作部及び前記装飾部を、前記窓孔から径方向外方に突出させ、前記操作部が窓孔を通して軸筒外面より径方向外方に突出する径方向の長さを、前記装飾部が窓孔を通して軸筒外面より径方向外方に突出する径方向の長さより大きくし、前記操作体の装飾部を前記操作部の前方に位置させ、且つ当該装飾部の外端部が、前記操作体の操作部の外端部と、前記窓孔の前端とを結ぶ線よりも、前記軸筒の外面側に位置する多芯筆記具。
【請求項２】
軸筒内に複数の筆記体を前後方向に移動可能に収容し、前記各々の筆記体の後端に操作体を連結し、前記各々の筆記体及び操作体を弾発体により後方に付勢し、前記軸筒の側壁に前後方向に延びる複数の窓孔を径方向に貫設し、前記各々の窓孔から径方向外方に前記各々の操作体の操作部を突出させ、一つの操作体を窓孔に沿って前方にスライド操作することにより、その一つの操作体を先にペン先突出状態にあった他の筆記体の操作体と当接させ、先にペン先突出状態にあった他の筆記体の操作体と軸筒内壁との係止状態を解除し、先に突出状態にあった他の筆記体のペン先を軸筒内に没入させ、前記前方にスライド操作した操作体に連結された筆記体のペン先を軸筒の前端孔から突出させてなる多芯筆記具であって、前記操作体の本体の径方向外面に操作部と装飾部とを前後に分離して突設させるとともに前記操作部の前方に前記装飾部を位置させ、前記操作部及び前記装飾部を、前記窓孔から径方向外方に突出させ、前記操作部が窓孔を通して軸筒外面より径方向外方に突出する径方向の長さを、前記装飾部が窓孔を通して軸筒外面より径方向外方に突出する径方向の長さより大きくし、前記軸筒の後端部にクリップを一体に形成又は付設するとともに、前記装飾部が、前記クリップの基部の前側面よりも後方に位置し、前記ペン先を軸筒の前端孔から突出させたペン先突出状態で、前記ペン先突出状態にある筆記体の操作体における操作部が、前記クリップの基部の前側面よりも前方に位置する多芯筆記具。
【請求項３】
軸筒内に複数の筆記体を前後方向に移動可能に収容し、前記各々の筆記体の後端に操作体を連結し、前記各々の筆記体及び操作体を弾発体により後方に付勢し、前記軸筒の側壁に前後方向に延びる複数の窓孔を径方向に貫設し、前記各々の窓孔から径方向外方に前記各々の操作体の操作部を突出させ、一つの操作体を窓孔に沿って前方にスライド操作することにより、その一つの操作体を先にペン先突出状態にあった他の筆記体の操作体と当接させ、先にペン先突出状態にあった他の筆記体の操作体と軸筒内壁との係止状態を解除し、先に突出状態にあった他の筆記体のペン先を軸筒内に没入させ、前記前方にスライド操作した操作体に連結された筆記体のペン先を軸筒の前端孔から突出させてなる多芯筆記具であって、前記操作体の本体の径方向外面に操作部と装飾部とを前後に分離して突設させるとともに前記操作部の前方に前記装飾部を位置させ、前記操作部及び前記装飾部を、前記窓孔から径方向外方に突出させ、前記操作部が窓孔を通して軸筒外面より径方向外方に突出する径方向の長さを、前記装飾部が窓孔を通して軸筒外面より径方向外方に突出する径方向の長さより大きくし、前記操作部の肉厚が前記操作体の本体の肉厚と同一で、前記装飾部の肉厚が前記操作部の肉厚より小さい多芯筆記具。
【請求項４】
前記装飾部と前記操作部の外観形状が相似形状である請求項３記載の多芯筆記具。
【発明の詳細な説明】
【技術分野】
【０００１】
本発明は、多芯筆記具に関する。
【背景技術】
【０００２】
特許文献１には、軸筒内に、異なる筆記色を有する複数の芯軸を収容するとともに、各芯軸に設けた操作部を、軸筒から外部に露出させ、この操作部によって、いずれかの芯軸を選択して使用するようにした筆記具において、操作部に凸部または凹部を設け、各芯軸の操作部における前記凸部または凹部の形状を、互いに異なるものとし、各芯軸の操作部の感触を異なるものとした筆記具が記載されている。また、特許文献１には、操作部に、側面視が三角状の同形の突起を前後方向に２個、設けることが開示されている。
【０００３】
前記特許文献１の多芯筆記具において、指を操作部に当てて操作部を前方にスライド操作する際、指が操作部から滑り、確実にペン先突出状態にすることができないおそれがある。また、前記特許文献１の多芯筆記具は、感触により識別する構成であるため、操作体の外観のデザイン上の自由度が減少し、操作体のユニークな外観を得ることが困難である。
【先行技術文献】
【特許文献】
【０００４】
【特許文献１】特開２００３−３３５０９３号公報
【発明の概要】
【発明が解決しようとする課題】
【０００５】
本発明は、前記従来の問題点を解決するものであって、指を操作部に当てて操作部を前方にスライド操作する際、安定したスライド操作が可能となり、しかも、操作体の外観のデザイン上の自由度が増加し、操作体のユニークな外観を得ることができる多芯筆記具を提供しようとするものである。尚、本発明において、軸筒において、「前」とは前端孔側を指し、「後」とはその反対側を指し、筆記体において、「前」とはペン先側を指し、「後」とはその反対側を指す。
【課題を解決するための手段】
【０００６】
本願発明は、軸筒２内に複数の筆記体６を前後方向に移動可能に収容し、前記各々の筆記体６の後端に操作体７を連結し、前記各々の筆記体６及び操作体７を弾発体８により後方に付勢し、前記軸筒２の側壁に前後方向に延びる複数の窓孔４１を径方向に貫設し、前記各々の窓孔４１から径方向外方に前記各々の操作体７の操作部７２を突出させ、一つの操作体７を窓孔４１に沿って前方にスライド操作することにより、その一つの操作体７を先にペン先突出状態にあった他の筆記体６の操作体７と当接させ、先にペン先突出状態にあった他の筆記体６の操作体７と軸筒２内壁との係止状態を解除し、先に突出状態にあった他の筆記体６のペン先６１を軸筒２内に没入させ、前記前方にスライド操作した操作体７に連結された筆記体６のペン先６１を軸筒２の前端孔３１から突出させてなる多芯筆記具であって、前記操作体７の本体７１の径方向外面に操作部７２と装飾部７３とを前後に分離して突設させるとともに前記操作部７２の前方に前記装飾部７３を位置させ、前記操作部７２及び前記装飾部７３を、前記窓孔４１から径方向外方に突出させ、前記操作部７２が窓孔４１を通して軸筒２外面より径方向外方に突出する径方向の長さを、前記装飾部７３が窓孔４１を通して軸筒２外面より径方向外方に突出する径方向の長さより大きくしたことを要件とする。
【０００７】
前記多芯筆記具１は、操作部７２を窓孔４１から径方向外方に大きく突出させることができ、操作部７２を前方にスライド操作する際、指を確実に操作部７２に当てて操作することができ、安定したスライド操作が可能となる。また、前記第１の発明の多芯筆記具１は、操作部７２以外に、装飾部７３を備えることにより、操作体７の外観のデザイン上の自由度が増加するとともに、操作体７のユニークな外観を得ることができる。また操作部７２が装飾部７３より外方に突出していることから、装飾部７３が操作部７２に保護されるので、装飾部７３の外観形状に破損しやすいような細やかな細工を施すことが可能となる。
【０００８】
前記多芯筆記具１において、前記装飾部７３と前記操作部７２の外観形状が相似形状であれば、前記多芯筆記具１は、操作部７２と装飾部７３の統一されたモチーフにより、一層、ユニークな外観を得ることができる。
【０００９】
【００１０】
前記多芯筆記具１において、前記筆記体６及び前記操作体７を連結状態で軸筒２内から取り外し可能且つ軸筒２内に挿入可能に構成すれば、前記多芯筆記具１は、筆記体６及び操作体７を連結状態で軸筒２内から取り外し可能且つ軸筒２内に挿入可能に構成した場合、前記第１または第２の発明の構成によって、操作部７２を指で摘みやすく、筆記体６及び操作体７の交換が容易となる。
【００１１】
【００１２】
前記多芯筆記具１において、前記各々の操作体７の形状が同一であれば、前記多芯筆記具１は、各々の操作体７の形状が同一であることにより、各々の操作部７２と指との接触が一定になると共に、軸筒２に設けた複数の窓孔４１に対して、不特定に操作体７を配置した場合においても、多芯筆記具１の外観を一定にすることができ、いずれの操作部７２をスライド操作しても安定したスライド操作を可能にすることができる。
【００１３】
【００１４】
前記多芯筆記具１において、前記各々の操作体７の装飾部７３を前記軸筒２の対称の位置に配した際、該軸筒２の対称の位置関係にある二つの装飾部７３で一つの形態を構成すれば、前記多芯筆記具１は、ペン先６１没入状態で、前記軸筒２の窓孔４１から径方向に突出した対称の位置関係にある装飾部７３が、軸筒２を挟んだ両位置で仮想的に一つの形態を構成することにより、装飾部７３の単独としての装飾性のみならず、二つの装飾部７３の組合せによる複合的な装飾性を得ることができる。
【００１５】
【００１６】
前記多芯筆記具１において、前記操作体７の装飾部７３を前記操作部７２の前方に位置させ、且つ当該操作体７の本体の裏面に前側突出部７４と該前側突出部７４の後方の後側突出部７５とを有し、前記装飾部７３を前記前側突出部７４と前記後側突出部７５との隙間７１ａにおける径方向外面に突設すれば、前記多芯筆記具１は、操作体７の本体７１が、前側突出部７４と後側突出部７５との隙間７１ａとなる肉が薄くなる位置に装飾部７３を突設することで、操作体７の強度が高まり、繰り返しの出没作動やレフィル交換時において破損等の虞がなく、材質等の選択の幅を拡げることができる。
【００１７】
【００１８】
前記多芯筆記具１において、前記操作体７の装飾部７３を前記操作部７２の前方に位置させ、且つ当該装飾部７３の外端部が、前記操作体７の操作部７２の外端部と、前記窓孔４１の前端４１ａとを結ぶ線Ｌよりも、前記軸筒２の外面側に位置すれば、前記多芯筆記具１は、操作部７２が装飾部７３より後方に位置していても、ペン先６１が軸筒２内に没入したペン先６１没入状態で、操作体７の装飾部７３が、窓孔４１の前端４１ａから操作部７２の外端部を結ぶ線Ｌよりも、軸筒２外面側（即ち径方向内側）に位置する（図４参照）ことにより、筆記状態にある筆記体６のペン先６１が突出し、軸筒２を指で把持している状態で、別の操作部７２を前方にスライド操作する場合において、指が操作部７２の後方に移動するのに最短距離を通過しても装飾部７３に当接しないため、操作性を高める効果を奏することができる。尚、本発明で窓孔４１の前端４１ａから操作部７２の外端部を結ぶ線Ｌを特定したのは、操作部７２をスライド操作する場合には、窓孔４１の部分を把持してしまうと、操作部７２を前方にスライド操作し難く操作性が低下するため、一般的に窓孔４１の前端４１ａよりも前方を把持して操作体の操作が行われるためである。
【００１９】
【００２０】
前記多芯筆記具１において、前記軸筒２の後端部にクリップ４５を一体に形成または付設するとともに、前記操作部７２が窓孔４１を通して軸筒２外面より径方向外方に突出する径方向の長さＡ’が、前記クリップ４５が軸筒２外面より径方向外方に突出する径方向の長さＤの同等以上であれば、前記多芯筆記具１は、前記軸筒２の後端部にクリップ４５を一体に形成または付設するとともに、前記操作部７２が窓孔４１を通して軸筒２外面より径方向外方に突出する径方向の長さＡ’（図４参照）が、前記クリップ４５が軸筒２外面より径方向外方に突出する径方向の長さＤ（図５参照）の同等以上とすることで、操作部７２を指で摘みやすくなるとともに、周方向の異なる位置にクリップ４５と同等以上の転がり抑制機能を具備するため、より高い転がり抑制効果を奏することができる。
【００２１】
【００２２】
前記多芯筆記具１において、前記軸筒２の後端部にクリップ４５を一体に形成または付設するとともに、ペン先６１が軸筒２内に没入したペン先６１没入状態で、前記装飾部７３が、前記クリップ４５の基部の前側面４５ａよりも後方に位置し、前記ペン先６１を軸筒２の前端孔３１から突出させたペン先６１突出状態で、前記ペン先６１突出状態にある筆記体６に連結した操作体７における操作部７２が、前記クリップ４５の基部の前側面４５ａよりも前方に位置すれば、前記多芯筆記具１は、前記軸筒２の後端部にクリップ４５を一体に形成または付設するとともに、前記装飾部７３が、前記クリップ４５の基部の前側面４５ａよりも後方に位置し、前記ペン先６１を軸筒２の前端孔３１から突出させたペン先６１突出状態で、前記ペン先３１突出状態にある筆記体６に連結した操作体７における操作部７２が、前記クリップ４５の基部の前側面４５ａよりも前方に位置することで、ポケット（図示せず）に軸筒２を挿着してクリップ４５により挟持した状態であっても、装飾部７３が外部に露出することから装飾性が高く、且つペン先６１を軸筒２の前端孔３１から突出させた状態で挿着させてしまった時には、ポケットにより操作部７２が見えなくなるという状態になることから気が付きやすく、ポケットの汚損を回避できる。
【００２３】
【発明の効果】
【００２４】
本発明の多芯筆記具によれば、指を操作部に当てて操作部を前方にスライド操作する際、安定したスライド操作が可能となり、しかも、操作体の外観のデザイン上の自由度が増加し、操作体のユニークな外観を得ることができる。
【図面の簡単な説明】
【００２５】
【図１】図１は、本実施の形態における多芯筆記具のペン先没入状態を示す縦断面図である。
【図２】図２は、図１のペン先突出状態を示す縦断面図である。
【図３】図３は、本実施の形態における操作体及び筆記体の連結状態を示す正面図である。
【図４】図４は、本実施の形態における多芯筆記具の正面図である。
【図５】図５は、図４の側面図である。
【図６】図６は、図５の蓋部を開放した状態を示す図である。
【発明を実施するための形態】
【００２６】
図１〜図６は本発明の実施の形態を示す図であり、具体的な実施例を図で説明する。
【００２７】
本実施の形態の多芯筆記具１は、軸筒２と、該軸筒２内に前後方向に移動可能に収容される複数本の筆記体６とからなる。前記各々の筆記体６の後端には、操作体７が固着される。前記各々の筆記体６及び操作体７は、弾発体８（具体的には圧縮コイルスプリング）により後方に付勢されている。尚、本発明において、前記軸筒２内に移動可能に収容する筆記体６の本数は、２本以上であればよく、２本以外にも、３本、４本、５本、６本等であってもよい。
【００２８】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００２９】
前記後軸４の後部の側壁には、複数本（具体的には２本）の前後方向に延びる細長状の窓孔４１が、径方向に貫設される。また、前記後軸４の後端部には、軸方向後方に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ後方に開口されている。一方、前記窓孔４１の前端４１ａは常時閉鎖されている。
【００３０】
また、前記後軸４の窓孔４１の相互間の側壁内面には、前後方向に延びるリブよりなる係止壁部４３が形成され、前記係止壁部４３に、ペン先６１が突出した際の筆記体６の操作体７の後端が係止される。後軸４の窓孔４１の相互間の側壁外面の後端部には、クリップ４５が一体に設けられる。
【００３１】
前記軸筒２（前軸３または後軸４）の外面には、操作部７２及び装飾部７３の外観形状のモチーフ（例えば椰子の葉や実）による模様を施した図柄が設けられる。それにより、統一したモチーフにより、一層、筆記具全体のユニークな外観が得られる。前記図柄は、印刷、塗装、シール貼付等により設けられる。
【００３２】
（蓋部）
前記後軸４の後端部には、前記開口部４２を開閉自在にする蓋部５が回動可能に設けられる。前記蓋部５は、開口部４２を塞ぐ蓋本体５１と、該蓋本体５１に連設される２本の脚片５２とからなる。前記蓋部５の脚片５２は、回動軸４６により後軸４と接続され、略前後方向に回動可能となる。
【００３３】
前記蓋部５（蓋本体５１）の前面には、当接壁部５３が形成される。前記当接壁部５３に、ペン先没入状態の筆記体６の後端に連結された各々の操作体７の後端が衝止される。
【００３４】
（係合部、被係合部）
前記蓋部５（蓋本体５１）の前面には、係合部５４が設けられる（具体的には係合孔部が形成される）。後軸４の後端には、前記係合部５４と係合可能な被係合部４４が設けられる（具体的には係合凸部が突設される）。前記係合部５４の内面には、内向突起が形成され、一方、前記被係合部４４の外面には、前記内向突起と乗り越え係止可能な外向突起が形成される。
【００３５】
前記係合部５４と前記被係合部４４は、蓋部５が開口部４２を閉鎖した際、互いに係合状態にあり（具体的には内向突起と外向突起が乗り越え係止状態にあり）、弾発体８の後方への付勢による操作体７と蓋部５前面の当接壁部５３との当接では、その係合状態は解除されず、蓋部５が開くことはない。即ち、前記蓋部５による開口部４２の閉鎖状態において、係合部５４と被係合部４４との係合により、蓋部５の後方移動が阻止される。
【００３６】
（筆記体）
前記各々の筆記体６は、例えば、ボールペンレフィル、シャープペンシルレフィル、サインペンレフィル、マーキングペンレフィル等、入力ペンレフィル（スタイラスペンレフィル）等の公知のペン先６１を備えたレフィルが挙げられる。
【００３７】
本実施の形態では、ボールペンレフィルが採用される（図３参照）。前記ボールペンレフィルは、ボールペンチップ（ペン先６１）と、該ボールペンチップを前端に備え且つ内部にインキが収容されたインキ収容管６２と、該インキ収容管６２の後端（即ちインキ収容管６２の後端開口部）に連結された操作体７とからなる。
【００３８】
（操作体）
図３に示すように、ボールペンレフィルの各々の操作体７は、本体７１と、該本体７１表面に形成され且つ軸筒２の窓孔４１から軸筒２外部に突出する操作部７２及び装飾部７３と、該本体７１の裏面に設けられる前側突出部７４と、該本体７１の裏面の該前側突出部７４の後方に設けられる後側突出部７５と、該本体７１の前端部に形成され且つインキ収容管６２の後端開口部に嵌入される嵌入部７６と、該嵌入部７６の後方に形成される鍔部７７とを備える。
【００３９】
前記操作部７２は、操作体７の本体７１の径方向外面に突設される。さらに、前記装飾部７３は、前記操作体７の本体７１の操作部７２より前方位置の径方向外面に突設される。即ち、前記操作体７の本体７１の径方向外面に操作部７２と装飾部７３とが前後に分離して突設される。ペン先没入状態において、前記操作部７２及び前記装飾部７３が、前記窓孔４１から径方向外方に突出される。
【００４０】
前記操作体７の本体７１表面からの操作部７２の径方向外方への突出長さＡが、前記操作体７の本体７１表面からの装飾部７３の径方向外方への突出長さＢより大きく設定される（図３参照）。それにより、筆記体６を軸筒２内に収容した状態において、前記操作部７２が窓孔４１を通して軸筒２外面より径方向外方に突出する径方向の長さが、前記装飾部７３が窓孔４１を通して軸筒２外面より径方向外方に突出する径方向の長さより大きく設定される。
【００４１】
また、前記操作体７の本体７１表面から操作部７２の外端部までの径方向の最大長さＡは、前記操作体７の本体７１表面から操作体７２の裏面に設けた後側突出部７５までの径方向の最大長さＣより大きく設定される（図３参照）。それにより、操作部７２を窓孔４１より径方向外方に確実に大きく突出させることができる。
【００４２】
さらにまた、前記操作部７２が窓孔４１を通して軸筒２外面より径方向外方に突出する径方向の長さＡ’（図４参照）が、前記クリップ４５が軸筒２外面より径方向外方に突出する径方向の長さＤ（図５参照）と同等以上に設定される。
【００４３】
前記操作部７２と前記装飾部７３とは、外観形状が相似形状であり、同一のモチーフ（具体的には椰子の木形状）からなる外観を有する。前記モチーフは、椰子の木形状以外にも、例えば、花や動物や昆虫などの生物、あるいは自動車や船や飛行機などの乗り物などの既存物をデザイン化したものや、家紋やトレードマークあるいは架空キャラクターなどの模様的なものが挙げられる。前記操作部７２及び装飾部７３は操作体７の本体７１に一体または別部材の取り付けにより設けられる。特に、図に示すように、装飾部７３が、軸筒２を挟んだ両位置で仮想的に一つの形態を構成（装飾部７３（椰子の木の葉形態）と軸筒２で椰子の木の形態を構成）することにより、装飾部７３の単独としての装飾性のみならず、二つの装飾部７３の組合せによる複合的な装飾性を得ることができ好ましい。
【００４４】
前記操作部７２の肉厚は、前記操作体７の本体７１の肉厚と同一に設定され、前記装飾部７３の肉厚は、前記操作部７２の肉厚より小さく設定される（図５参照）。それにより、操作部７２と装飾部７３との立体的な相似関係が維持でき、より一層、操作部７２及び装飾部７３の外観性が向上する。
【００４５】
また、前記操作体７は、前記装飾部７３を前記前側突出部７４と前記後側突出部７５との隙間７１ａにおける径方向外面に突設（図３参照）して、前側突出部７４と後側突出部７５との隙間７１ａとなる肉が薄くなる位置の強度を高めてあり、これは軸筒２の後部に蓋部５を設けて、操作体７及び筆記体６を繰り返し交換する構造の多芯筆記具において好ましい形態である。
【００４６】
図３に示すボールペンレフィルを軸筒２内に収容した多芯筆記具１において、筆記体６のペン先６１が没入状態のとき、その筆記体６に取り付けられた操作体７の後端部は、蓋部５の前面に形成された当接壁部５３に衝止される（図１参照）。一方、筆記体６のペン先６１が突出状態のとき、その筆記体６に取り付けられた操作体７の後端部は、軸筒２の内壁に形成された係止壁部４３に係止される（図２参照）。また、図３に示すボールペンレフィルを軸筒２内に収容した多芯筆記具１において、ペン先没入状態にある筆記体６の後端に連結された操作体７の前側突出部７４は、その操作体７の操作部７２を前方に移動させた際、先にペン先突出状態にある他の筆記体６の後端に連結された操作体７の後側突出部７５と当接され、他の筆記体６の後端に連結された操作体７と後軸４に形成した係止壁部４３との係止状態が解除され、他の筆記体６のペン先突出状態が解除される。
【００４７】
（弾発体支持部）
軸筒２の内壁（具体的には後軸４の内壁）には、円筒状の弾発体支持部９が固着される。前記弾発体支持部９は、筆記体６が挿通される複数（具体的には２個）の内孔９１が軸方向に貫設されている。前記弾発体支持部９の後面と、各々の操作体７の鍔部７７の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７７の前面に係止される。前記弾発体８により、筆記体６及び操作体７が後方に付勢される。
【００４８】
（ペン先の出没）
本実施の形態におけるペン先６１の出没作動について説明する。
一つの操作体７の操作部７２を弾発体８の後方付勢に抗して窓孔４１に沿って前方に移動させると、その前方に移動させた操作体７の前側突出部７４が、先に突出状態にある他の筆記体６の操作体７の後側突出部７５を径方向外方に持ち上げる。それにより、軸筒２の係止壁部４３と操作体７との係止状態が解除され、他の筆記体６が弾発体８の後方付勢により後方に移動され、他の筆記体６のペン先６１が軸筒２内に没入され、他の筆記体６の操作体７の後端が蓋部５の前面の当接壁部５３に当接衝止される。前記他の筆記体６のペン先６１の没入と同時に、前記前方に移動させた操作体７に連結された筆記体６のペン先６１が、軸筒２の前端孔３１より外部に突出されるとともに、前方に移動させた操作体７の後端が軸筒２内壁の係止壁部４３に係止され、そのペン先突出状態が維持される。
【００４９】
本実施の形態において、ペン先突出状態の筆記体６の後端の操作体７の操作部７２は、窓孔４１を通して軸筒２外面から径方向外方に突出され、且つ、ペン先没入状態の筆記体６の後端の操作体７の操作部７２は、窓孔４１を通して軸筒２外面から径方向外方に突出される。それにより、操作部７２が十分に軸筒２外部に突出され、操作部７２の後方に指を移動し、操作部７２に指を当てて前方にスライド操作する際、スライド操作開始から終了まで指が操作部７２から離れることなく、確実にペン先突出状態にすることができる。
【００５０】
また、ペン先６１が軸筒２内に没入したペン先６１没入状態で、操作体７の装飾部７３は、窓孔４１の前端４１ａから操作部７２の外端部を結ぶ線Ｌよりも、軸筒２外面側に位置する（図４参照）。
【００５１】
また、ペン先６１が軸筒２内に没入したペン先６１没入状態で、装飾部７３は、クリップ４５の基部の前側面４５ａよりも後方に位置し、一つのペン先６１を軸筒２の前端孔３１から突出させたペン先６１突出状態で、ペン先６１突出状態にある筆記体６の後端の操作体７の操作部７２及び装飾部７３が、クリップ４５の基部の前側面４５ａよりも前方に位置する。
【００５２】
（筆記体及び操作体の交換）
本実施の形態における筆記体６及び操作体７の交換について説明する（図６参照）。
筆記体６を交換する際、蓋部５が軸筒２の後端の開口部４２を閉鎖した状態から、蓋部５における回動軸４６と反対側を後方に押圧し、係合部５４と被係合部４４との係合を解除し、蓋部５を後方に回動させ、軸筒２の後端の開口部４２を開口する。前記開口部４２を開口させると、前記開口部４２から各々の操作体７が、弾発体８の付勢力により後方外部に突出される。前記軸筒２の後端の開口部４２が開口した状態で、操作体７を取り出すことにより、その操作体７と互いに連結状態にある筆記体６を前記開口部４２を介して軸筒２内から取り出し、その後、互いに連結状態にある新たな筆記体６と新たな操作体７とを前記開口部４２を介して軸筒２内に挿入する。そして、蓋部５の当接壁部５３に各々の操作体７を当接させ、各々の操作体７を前方に押圧しながら蓋部５を前方に回動させ、その後、係合部５４と被係合部４４とを係合させ、開口部４２を閉鎖する。これにより、筆記体６及び操作体７の交換作業が終了する。尚、本実施の形態では、筆記体及び操作体７の交換は、開口部４２を介して行われるが、これ以外にも、窓孔４１を介して行われてもよい。
【００５３】
（本実施の形態の作用）
本実施の形態の多芯筆記具１は、操作部７２を窓孔４１より径方向外方に大きく突出させることができ、操作部７２を前方にスライド操作する際、指を確実に操作部７２に当てて操作することができ、安定したスライド操作が可能となる。また、本実施の形態の多芯筆記具１は、操作部７２以外に、装飾部７３を備えることにより、操作体７の外観のデザイン上の自由度が増加するとともに、操作体７のユニークな外観を得ることができる。
【００５４】
本実施の形態の多芯筆記具１は、操作部７２と装飾部７３の統一されたモチーフにより、一層、ユニークな外観を得ることができる。
【００５５】
本実施の形態の多芯筆記具１は、筆記体６及び操作体７を連結状態で軸筒２内から取り外し可能且つ軸筒２内に挿入可能に構成した場合、操作部７２を指で摘みやすく、筆記体６及び操作体７の交換が容易となる。
【００５６】
本実施の形態の多芯筆記具１は、各々の操作体７の形状が同一（即ち各々の操作体７の操作部７２及び装飾部７３の形状が同一）であることにより、各々の操作部７２と指との接触が一定になると共に、軸筒２に設けた複数の窓孔４１に対して、不特定に操作体７を配置した場合においても、多芯筆記具１の外観を一定にすることができ、いずれの操作部７２をスライド操作しても、安定したスライド操作が可能にすることができる。
【００５７】
本実施の形態の多芯筆記具１は、ペン先６１没入状態で、前記軸筒２の窓孔４１から径方向に突出した対称の位置関係にある操作部７２及び装飾部７３が、軸筒２を挟んだ両位置で仮想的に一つの形態を構成することにより、装飾部７３の単独としての装飾性のみならず、二つの装飾部７３の組合せによる複合的な装飾性を得ることができる。
【００５８】
本実施の形態の多芯筆記具１は、操作体７の本体７１が、前側突出部７４と後側突出部７５との隙間７１ａとなる肉が薄くなる位置に装飾部７３を突設することで、操作体７の強度が高まり、繰り返しの出没作動やレフィル交換時において破損等の虞がなく、材質等の選択の幅を拡げることができる。
【００５９】
本実施の形態の多芯筆記具１は、操作体７の装飾部７３が、窓孔４１の前端４１ａから操作部７２の外端部を結ぶ線Ｌよりも、軸筒２外面側に位置することで、他の筆記体６のペン先６１を突出し、指で軸筒２を把持している状態から、一つの操作部７２を前方にスライド操作する際、指を操作部７２の外縁部または操作部７２の後方に移動するのに最短距離を通過しても装飾部７３に当接しないため、操作性を高める効果を奏することができる。
【００６０】
本実施の形態の多芯筆記具１は、操作部７２が窓孔４１を通して軸筒２外面より径方向外方に突出する径方向の長さＡ’が、クリップ４５が軸筒２外面より径方向外方に突出する径方向の長さＤの同等以上とすることで、操作部７２をより摘みやすくなるとともに、周方向の異なる位置にクリップ４５と同等以上の転がり抑制機能を具備するため、より高い転がり抑制効果を奏することができる（図４及び図５参照）。
【００６１】
本実施の形態の多芯筆記具１は、装飾部７３が、クリップ４５の基部の前側面４５ａよりも後方に位置し、ペン先６１を軸筒２の前端孔３１から突出させたペン先６１突出状態で、ペン先６１突出状態にある筆記体６の操作体７における操作部７２が、クリップ４５の基部の前側面４５ａよりも前方に位置することで、ポケット（図示せず）にクリップ４５を挟持した時であっても、操作部７２及び装飾部７３が外部に露出するため、装飾性が高く、且つペン先６１を軸筒２の前端孔３１から突出させた状態では、ポケットにより操作部７２及び装飾部７３が見えなくなるため、ペン先６１突出状態を容易に確認することができる。
【産業上の利用可能性】
【００６２】
指を操作部に当てて操作部を前方にスライド操作する際、安定したスライド操作が可能となり、しかも、操作体の外観のデザイン上の自由度が増加し、操作体のユニークな外観を得ることができる多芯筆記具に適用できる。
【符号の説明】
【００６３】
１…多芯筆記具、２…軸筒、３…前軸、３１…前端孔、
４…後軸、４１…窓孔、４１ａ…前端、４２…開口部、
４３…係止壁部、４４…被係合部、４５…クリップ、
４５ａ…前側面、４６…回動軸、
５…蓋部、５１…蓋本体、５２…脚片、５３…当接壁部、
５４…係合部、
６…筆記体、６１…ペン先、６２…インキ収容管、
７…操作体、７１…本体、７１ａ…隙間、
７２…操作部、７３…装飾部、
７４…前側突出部、７５…後側突出部、７６…嵌入部、
７７…鍔部、
８…弾発体、
９…弾発体支持部、９１…内孔。
【図１】
0005679434.tif 000002
【図２】
0005679434.tif 000003
【図３】
0005679434.tif 000004
【図４】
0005679434.tif 000005
【図５】
0005679434.tif 000006
【図６】
0005679434.tif 000007